(57)【要約】      （修正有）【課題】車両の乗員に禁煙あるいは節度ある喫煙を促す車載用喫煙警告装置を提供する。【解決手段】喫煙者特定手段は灰皿の蓋の開操作および／または閉操作から喫煙者を特定し、喫煙者の喫煙頻度が所定の値を上回る場合、喫煙の抑制あるいは禁煙へ誘導するための動機付けとなる喫煙警告情報を報知する構成で提供可能である。また、喫煙頻度が所定の値を上回る場合、当該喫煙頻度を外部機器に送信する構成も可能であり、乗員が例えば自宅等で乗車後に喫煙頻度を確認することが可能となる。【選択図】図１
2007276672.tif 000002
【特許請求の範囲】
【請求項１】
車内の喫煙者を特定する喫煙者特定手段と、
前記喫煙者の喫煙頻度を演算する演算手段と、
前記喫煙頻度が所定の値を上回るかどうかを判定する判定手段と、
前記喫煙頻度が所定の値を上回る場合、喫煙の抑制あるいは禁煙へ誘導するための動機付けとなる喫煙警告情報を報知する報知手段と、
を備えることを特徴とする車載用喫煙警告装置。
【請求項２】
前記車内に設置された喫煙具の操作状態を検出する喫煙具操作状態検出手段を備え、
前記喫煙者特定手段は前記喫煙具の操作状態から前記喫煙者を特定する請求項１に記載の車載用喫煙警告装置。
【請求項３】
前記喫煙具操作状態検出手段は、前記車内の各乗員の座席に対応して設置された灰皿の蓋の開操作および／または閉操作を検出する開閉検出手段と、
前記灰皿の蓋の開操作および閉操作の少なくとも一方の操作回数をカウントする開閉カウント手段と、を含み、
前記喫煙者特定手段は前記灰皿の蓋の開操作および／または閉操作から前記喫煙者を特定し、
前記演算手段は前記カウントされた操作回数から前記喫煙頻度を演算する請求項２に記載の車載用喫煙警告装置。
【請求項４】
前記喫煙具操作状態検出手段は、前記車内の特定位置に各乗員に共用のものとして設置された灰皿の蓋の開操作および／または閉操作を検出する開閉検出手段と、
前記灰皿の蓋の開操作および閉操作の少なくとも一方の操作回数をカウントする開閉カウント手段と、を含み、
車両の窓の開閉状態を検出する窓状態検出手段を備え、
前記喫煙者特定手段は前記灰皿の蓋の開操作および／または閉操作と、前記窓の開閉状態とから前記喫煙者を特定する請求項２に記載の車載用喫煙警告装置。
【請求項５】
前記喫煙頻度が所定の値を上回る場合、当該喫煙者の使用する灰皿の開操作を禁止する禁止手段を備える請求項３または４に記載の車載用喫煙警告装置。
【請求項６】
前記喫煙具操作状態検出手段は、前記車内の各乗員の座席に対応して設置されたシガーライタの操作を検出する操作検出手段と、
前記シガーライタの操作回数をカウントする操作カウント手段と、を含み、
前記喫煙者特定手段は前記シガーライタの操作から前記喫煙者を特定し、
前記演算手段は前記カウントされた操作回数から前記喫煙頻度を演算する請求項２ないし５のいずれか１項に記載の車載用喫煙警告装置。
【請求項７】
前記喫煙具操作状態検出手段は、前記車内の各乗員の特定位置に各乗員に共用のものとして設置されたシガーライタの操作を検出する操作検出手段と、
前記シガーライタの操作回数をカウントする操作カウント手段と、を含み、
車両の窓の開閉状態を検出する窓状態検出手段を備え、
前記喫煙者特定手段は前記シガーライタ操作と、前記窓の開閉状態とから前記喫煙者を特定する請求項２ないし５のいずれか１項に記載の車載用喫煙警告装置。
【請求項８】
前記喫煙頻度が所定の値を上回る場合、当該喫煙者の使用するシガーライタの操作を禁止する操作禁止手段を備える請求項６または７に記載の車載用喫煙警告装置。
【請求項９】
前記車内の乗員の様子を撮影する撮影手段を備え、
前記喫煙者特定手段は前記撮影された乗員の様子から前記喫煙者を特定する請求項１ないし８のいずれか１項に記載の車載用喫煙警告装置。
【請求項１０】
前記判定手段の判定条件を設定する条件設定手段と、
前記条件設定手段による設定を行なう際の認証を行なう認証手段と、を備える請求項１ないし９のいずれか１項に記載の車載用喫煙警告装置。
【請求項１１】
前記喫煙頻度が所定の値を上回る場合、当該喫煙頻度を外部機器に送信する送信手段を備える請求項１ないし１０のいずれか１項に記載の車載用喫煙警告装置。
【請求項１２】
前記車載用喫煙警告装置は、前記車両に搭載された車載用ナビゲーション装置が有する表示器および音声発生装置を利用するものであって、前記喫煙頻度が所定の値を上回る場合、前記報知手段は前記表示器あるいは前記音声発生装置により前記喫煙警告情報を報知する請求項１ないし１１のいずれか１項に記載の車載用喫煙警告装置。
【発明の詳細な説明】
【技術分野】
【０００１】
本発明は、車両の乗員に禁煙あるいは節度ある喫煙を促す車載用喫煙警告装置に関するものである。
【背景技術】
【０００２】
近年、喫煙による健康障害が広く問題視されるようになり、喫煙者に節煙や禁煙を呼びかける各種媒体を介した働きかけが盛んに行われている。また、喫煙は本人の健康を害するだけではなく、周囲の受動喫煙を招来して周囲にいる非喫煙者に受動喫煙の害を及ぼすことも大きな問題となっている。そして、喫煙は走行する車両内でも行われることが多く、車両と喫煙との関係も深いと言わざるを得ない。そこで、車室内のたばこの煙で汚れた空気を効果的に排気または浄化する車両用空調装置が考案されている（特許文献１参照）。
【０００３】
【特許文献１】特開２００５−４７４１８号公報
【発明の開示】
【発明が解決しようとする課題】
【０００４】
特許文献１の例は、喫煙を検出して汚れた空気を効果的に排気または浄化する、乗員の健康を考えた装置であるが、周囲の環境改善にはなるものの、乗員の喫煙回数を減らせるものではなく、禁煙あるいは節煙につながるものではない。
【０００５】
上記問題を背景として、本発明の課題は、車両の乗員に禁煙あるいは節度ある喫煙を促す車載用喫煙警告装置を提供することにある。
【課題を解決するための手段および発明の効果】
【０００６】
上記課題を解決するための車載用喫煙警告装置は、車内の喫煙者を特定する喫煙者特定手段と、喫煙者の喫煙頻度を演算する演算手段と、喫煙頻度が所定の値を上回るかどうかを判定する判定手段と、喫煙頻度が所定の値を上回る場合、喫煙の抑制あるいは禁煙へ誘導するための動機付けとなる喫煙警告情報を報知する報知手段と、を備えることを特徴とする。
【０００７】
本発明は、従来技術が車内の空気浄化を行うのみで、喫煙の抑制や禁煙につながらない点に着目し、喫煙者を特定し、その喫煙者の喫煙頻度を演算してその場合に合ったきめ細かい警告（狭義の警告）やアドバイスを行い上記課題を解決するものである。ここで、喫煙警告情報とは、喫煙の中止を求める狭義の警告のみならず、喫煙の抑制につながる緩やかなアドバイス的な内容を含む広い概念である。
【０００８】
また、本発明の車載用喫煙警告装置は、車内に設置された喫煙具の操作状態を検出する喫煙具操作状態検出手段を備え、喫煙者特定手段は喫煙具の操作状態から喫煙者を特定するように構成することもできる。
【０００９】
灰皿等の喫煙具は、乗員が喫煙するかどうかによらず製造時の時点で殆どの車両に取り付けられている。上記構成によって、新たにセンサ等の検出手段を設置しなくても喫煙者を特定することが可能となる。
【００１０】
また、本発明の車載用喫煙警告装置における喫煙具操作状態検出手段は、車内の各乗員の座席に対応して設置された灰皿の蓋の開操作および／または閉操作を検出する開閉検出手段と、灰皿の蓋の開操作および閉操作の少なくとも一方の操作回数をカウントする開閉カウント手段と、を含み、喫煙者特定手段は灰皿の蓋の開操作および／または閉操作から喫煙者を特定し、演算手段はカウントされた操作回数から喫煙頻度を演算するように構成することもできる。
【００１１】
車内で喫煙する際は座席の最寄りの灰皿を使用する場合が多い。そして、喫煙中は灰皿の蓋を開けておくことが多い。上記構成によって、既設の灰皿を用いて喫煙者を特定することができ、他の喫煙者特定のための装置を必要としないので、車載用喫煙警告装置の製造コストの上昇を抑えることが可能となる。
【００１２】
また、本発明の車載用喫煙警告装置における喫煙具操作状態検出手段は、車内の特定位置に各乗員に共用のものとして設置された灰皿の蓋の開操作および／または閉操作を検出する開閉検出手段と、灰皿の蓋の開操作および閉操作の少なくとも一方の操作回数をカウントする開閉カウント手段と、を含み、車両の窓の開閉状態を検出する窓状態検出手段を備え、喫煙者特定手段は灰皿の蓋の開操作および／または閉操作と、窓の開閉状態とから喫煙者を特定するように構成することもできる。
【００１３】
上記構成によって、例えば、灰皿が乗員の人数分設置されておらず、灰皿の蓋の開閉だけでは喫煙者を特定することができない場合でも、喫煙時に排煙のために最寄りの窓を開けることがあるので、その窓の開閉状態を検出することで喫煙者を特定することが可能となる。
【００１４】
また、本発明の車載用喫煙警告装置は、喫煙頻度が所定の値を上回る場合、当該喫煙者の使用する灰皿の開操作を禁止する禁止手段を備えるように構成することもできる。
【００１５】
上記構成のように強制力を伴う手段を備えることで、単なる警告あるいはアドバイスだけでは効き目のない乗員に対しても、喫煙の抑制あるいは禁煙へ誘導するための動機付けを行うことができる。
【００１６】
また、本発明の車載用喫煙警告装置における喫煙具操作状態検出手段は、車内の各乗員の座席に対応して設置されたシガーライタの操作を検出する操作検出手段と、シガーライタの操作回数をカウントする操作カウント手段と、を含み、喫煙者特定手段はシガーライタの操作から喫煙者を特定し、演算手段はカウントされた操作回数から喫煙頻度を演算するように構成することもできる。
【００１７】
上記構成によって、既設のシガーライタを用いて喫煙者を特定することで、車載用喫煙警告装置の製造コストの上昇を抑えることが可能となる。
【００１８】
また、本発明の車載用喫煙警告装置における喫煙具操作状態検出手段は、車内の各乗員の特定位置に各乗員に共用のものとして設置されたシガーライタの操作を検出する操作検出手段と、シガーライタの操作回数をカウントする操作カウント手段と、を含み、車両の窓の開閉状態を検出する窓状態検出手段を備え、喫煙者特定手段はシガーライタ操作と、窓の開閉状態とから喫煙者を特定するように構成することもできる。
【００１９】
シガーライタは大抵の車両では前席中央に１個設置されていることが多い。しかし、喫煙時に排煙のために最寄りの窓を開けることがある。上記構成によって、シガーライタの操作だけでは喫煙者を特定することができない場合でも、喫煙時に排煙のために最寄りの窓を開けることがあるので、その窓の開閉状態を検出することで喫煙者を特定することが可能となる。
【００２０】
また、本発明の車載用喫煙警告装置は、喫煙頻度が所定の値を上回る場合、当該喫煙者の使用するシガーライタの操作を禁止する操作禁止手段を備えるように構成することもできる。
【００２１】
上記構成のように強制力を伴う手段を備えることで、単なる警告あるいはアドバイスだけでは効き目のない乗員に対しても、喫煙の抑制あるいは禁煙へ誘導するための動機付けを行うことができる。
【００２２】
また、本発明の車載用喫煙警告装置は、車内の乗員の様子を撮影する撮影手段を備え、喫煙者特定手段は撮影された乗員の様子から喫煙者を特定するように構成することもできる。
【００２３】
上記構成によって、灰皿やシガーライタ等が車内の各乗員の座席に対応して設置されていなくても、撮影された画像から喫煙者を特定することが可能となる。
【００２４】
また、本発明の車載用喫煙警告装置は、判定手段の判定条件を設定する条件設定手段と、条件設定手段による設定を行う際の認証を行う認証手段と、を備えるように構成することもできる。
【００２５】
乗員によって喫煙本数の上限は異なる。上記構成によって、乗員に応じた喫煙警告を行うことが可能となる。また、暗証番号の入力等の認証を行うことで、警告対象者が設定を勝手に変更できないようにすることができる。
【００２６】
また、本発明の車載用喫煙警告装置は、喫煙頻度が所定の値を上回る場合、当該喫煙頻度を外部機器に送信する送信手段を備えるように構成することもできる。
【００２７】
上記構成によって、乗員の喫煙頻度を監視する立場にある者がその乗員の喫煙頻度を把握することが可能となる。また、乗員が例えば自宅等で乗車後に喫煙頻度を確認することが可能となる。
【００２８】
また、本発明の車載用喫煙警告装置は、車両に搭載された車載用ナビゲーション装置が有する表示器および音声発生装置を利用するものであって、喫煙頻度が所定の値を上回る場合、報知手段は表示器あるいは音声発生装置により喫煙警告情報を報知するように構成することもできる。
【００２９】
上記構成によって、車載用ナビゲーション装置が有する表示器および音声発生装置を本発明の車載用喫煙警告装置に用いることで、車載用喫煙警告装置を車載用ナビゲーション装置の機能の一部として構成でき、新たに専用の装置として製造する必要もないので、本発明の車載用喫煙警告装置を低コストで実現できる。
【発明を実施するための最良の形態】
【００３０】
以下、本発明の車載用喫煙警告装置の実施の形態を、図面を参照しながら説明する。図１は車載用喫煙警告装置を車載用ナビゲーション装置（以下、ナビゲーション装置と略称）の一部として構成した例を示すブロック図である。なお、車載用喫煙警告装置を単独の車載機器と構成しても、車載用オーディオ装置のような他の車載機器の機能の一部として構成してもよい。
【００３１】
ナビゲーション装置１００は、位置検出器１，地図データ入力器６，操作スイッチ群７，リモートコントロール（以下リモコンと称する）センサ１１，音声案内などを行う音声合成回路２４，スピーカ１５，メモリ９，表示器１０，送受信機１３，ハードディスク装置（ＨＤＤ）２１，ＬＡＮ(Local  Area  Network)  Ｉ／Ｆ（インターフェース）２６，これらの接続された制御回路８，リモコン端末１２等を備えている。
【００３２】
位置検出器１は、周知の地磁気センサ２，車両１０１（図２参照）の回転角速度を検出するジャイロスコープ３，車両１０１の走行距離を検出する距離センサ４，および衛星からの電波に基づいて車両１０１の位置を検出するＧＰＳ受信機５を有している。これらのセンサ等２，３，４，５は各々が性質の異なる誤差を持っているため、複数のセンサにより各々補完しながら使用するように構成されている。なお、精度によっては前述したうちの一部のセンサで構成してもよく、さらに、ステアリングの回転センサや各転動輪の車輪センサ例えば車速センサ２３等を用いてもよい。
【００３３】
操作スイッチ群７は、例えば表示器１０と一体になったタッチパネル２２もしくはメカニカルなスイッチが用いられる。タッチパネル２２は、表示器１０の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、いわゆる静電容量方式を用いてもよい。メカニカルスイッチの他に、マウスやカーソル等のポインティングデバイスを用いてもよい。また、表示器１０とその周辺を覆い意匠枠となるエスカッションに、操作スイッチ群７のうちのメカニカルスイッチを配置してもよい。
【００３４】
また、マイク３１および音声認識ユニット３０を用いて種々の指示を入力することも可能である。これは、マイク３１から入力された音声信号を、音声認識ユニット３０において周知の隠れマルコフモデル等の音声認識技術により処理を行い、その結果に応じた操作コマンドに変換するものである。これら本発明の条件設定手段でもある、操作スイッチ群７，リモコン端末１２，タッチパネル２２，およびマイク３１により種々の指示を入力することが可能である。
【００３５】
送受信機１３は、例えば道路に沿って設けられた送信機（図示せず）から出力される光ビーコン、または電波ビーコンによってＶＩＣＳ（Vehicle  Information  and  Communication  System：道路交通情報通信システム）センタ１４から道路交通情報を受信、あるいはＦＭ多重放送を受信するための装置である。
【００３６】
また、図示しないＥＴＣ車載器と通信することにより、ＥＴＣ車載器が路側器（図示せず）から受信した料金情報などをナビゲーション装置１００に取り込んで表示することができる。また、ＥＴＣ車載器によって外部ネットワークと接続し、ＶＩＣＳセンタ１４等との通信を行う構成をとってもよい。
【００３７】
制御回路８は通常のコンピュータとして構成されており、周知のＣＰＵ８１，ＲＯＭ８２，ＲＡＭ８３，入出力回路であるＩ／Ｏ８４，Ａ／Ｄ変換部８６，描画部８７，画像処理部８８，時計ＩＣ８９，およびこれらの構成を接続するバスライン８５が備えられている。ＣＰＵ８１は、ＨＤＤ２１に記憶されたナビプログラム２１ｐおよびデータにより制御を行う。また、ＨＤＤ２１へのデータの読み書きの制御はＣＰＵ８１によって行なわれる。また、ＣＰＵ８１からＨＤＤ２１に対してデータの読み書きの制御ができなくなった場合のために、ＲＯＭ８２にナビゲーション装置１００として必要最低限の動作を行うためのプログラムを記憶しておいてもよい。なお、制御回路８が本発明の喫煙者特定手段，演算手段，判定手段，開閉カウント手段，操作カウント手段，認証手段に相当する。
【００３８】
Ａ／Ｄ変換部８６は周知のＡ／Ｄ（アナログ／デジタル）変換回路を含み、例えば位置検出器１などから制御回路８に入力されるアナログデータをＣＰＵ８１で演算可能なデジタルデータに変換するものである。
【００３９】
描画部８７は、ＨＤＤ２１等に記憶された地図データ２１ｍ（後述），表示用のデータや表示色のデータから表示器１０に表示させるための表示画面データを生成する。
【００４０】
画像処理部８８は、公知のパターン認識などの技術によってカメラ３５（後述）によって撮影された画像の解析を行う画像処理回路を含んで構成される。
【００４１】
時計ＩＣ８９はリアルタイムクロックＩＣとも呼ばれ、ＣＰＵ８１からの要求に応じて時計・カレンダーのデータを送出あるいは設定するものである。ＣＰＵ８１は時計ＩＣ８９から日時情報を取得する。また、車内ＬＡＮ２７（後述）を介して他の車載機器から日時情報を取得してもよい。また、ＧＰＳ受信機５で受信された衛星からの信号に含まれる日時情報を用いてもよい。また、ＣＰＵ８１に含まれるリアルタイムカウンタ（図示せず）をもとに日時情報を生成してもよい。
【００４２】
ＨＤＤ２１には、ナビプログラム２１ｐの他に位置検出の精度向上のためのいわゆるマップマッチング用データ、道路の接続を表した道路データを含む地図データ２１ｍが記憶される。地図データ２１ｍは、表示用となる所定の地図画像情報を記憶するとともに、リンク情報やノード情報等を含む道路網情報を記憶する。リンク情報は、各道路を構成する所定の区間情報であって、位置座標、距離、所要時間、道幅、車線数、制限速度等から構成される。また、ノード情報は、交差点（分岐路）等を規定する情報であって、位置座標、右左折車線数、接続先道路リンク等から構成される。また、リンク間接続情報には、通行の可不可を示すデータなどが設定されている。
【００４３】
また、ＨＤＤ２１には経路案内の補助情報や娯楽情報、その他にユーザが独自にデータを書き込むことができ、ユーザデータ２１ｕとして記憶される。また、ナビゲーション装置１００の動作に必要なデータや各種情報はデータベース２１ｄとしても記憶される。
【００４４】
ナビプログラム２１ｐ，地図データ２１ｍ，ユーザデータ２１ｕ，およびデータベース２１ｄは、地図データ入力器６を介して記憶媒体２０からそのデータの追加・更新を行うことが可能である。記憶媒体２０は、そのデータ量からＣＤ−ＲＯＭやＤＶＤを用いるのが一般的であるが、例えばメモリカード等の他の媒体を用いてもよい。また、外部ネットワークを介してデータをダウンロードする構成を用いてもよい。
【００４５】
メモリ９はＥＥＰＲＯＭ（Electrically  Erasable  ＆  Programmable  Read  Only  Memory：電気的消去・プログラム可能・読出し専用メモリ）やフラッシュメモリ等の書き換え可能なデバイスによって構成され、ナビゲーション装置１００の動作に必要な情報およびデータが記憶されている。なお、メモリ９は、ナビゲーション装置１００がオフ状態になっても、記憶内容が保持されるようになっている。また、メモリ９の代わりにＨＤＤ２１を用いてもよい。さらに、ナビゲーション装置１００の動作に必要な情報およびデータをメモリ９とＨＤＤ２１に分けて記憶してもよい。
【００４６】
表示器１０は周知のカラー液晶表示器で構成され、ドット・マトリックスＬＣＤ（Liquid  Crystal  Display）およびＬＣＤ表示制御を行うための図示しないドライバ回路を含んで構成されている。ドライバ回路は、例えば、画素毎にトランジスタを付けて目的の画素を確実に点灯させたり消したりすることができるアクティブマトリックス駆動方式が用いられ、制御回路８から送られる表示指令および表示画面データに基づいて表示を行う。また、表示器１０として有機ＥＬ（ElectroLuminescence：電界発光）表示器，プラズマ表示器を用いてもよい。なお、表示器１０が本発明の報知手段に相当する。
【００４７】
スピーカ１５は周知の音声合成回路２４に接続され、ナビプログラム２１ｐの指令によってメモリ９あるいはＨＤＤ２１に記憶されるデジタル音声データが音声合成回路２４においてアナログ音声に変換されたものが送出される。なお、音声合成の方法には、音声波形をそのままあるいは符号化して蓄積しておき必要に応じて繋ぎ合わせる録音編集方式、文字入力情報からそれに対応する音声を合成するテキスト合成方式などがある。なお、音声合成回路２４およびスピーカ１５が本発明の報知手段，音声発生装置に相当する。
【００４８】
車速センサ２３は周知のロータリエンコーダ等の回転検出部を含み、例えば車輪取り付け部付近に設置されて車輪の回転を検出してパルス信号として制御回路８に送るものである。制御回路８では、その車輪の回転数を車両１０１の速度に換算して、車両１０１の現在位置から所定の場所までの予想到達時間を算出したり、車両１０１の走行区間毎の平均車速を算出する。
【００４９】
通信ユニット２５は周知の無線通信機として構成され、インターネット等の外部ネットワークとの通信を行う。なお、通信ユニット２５が本発明の送信手段に相当する。
【００５０】
ＬＡＮ  Ｉ／Ｆ２６は車内ＬＡＮ２７を介して他の車載機器やセンサとのデータの遣り取りを行うためのインターフェース回路である。また、ＬＡＮ  Ｉ／Ｆ２６を介して車速センサ２３等他のセンサあるいは機器からのデータ取り込みを行ってもよい。
【００５１】
このような構成を持つことにより、ナビゲーション装置１００は、制御回路８のＣＰＵ８１によりナビプログラム２１ｐが起動されると、ユーザが操作スイッチ群７，タッチパネル２２、リモコン端末１２の操作あるいはマイク３１からの音声入力によって、表示器１０上に表示されるメニューから目的地経路を表示器１０に表示させるための経路案内処理を選択した場合、次のような処理を実施する。
【００５２】
すなわち、ユーザが地図上の任意の地点あるいは施設検索や住所検索、ユーザが設定した登録地などから地点を選択して目的地として設定すると、位置検出器１により車両１０１の現在位置が求められ、該現在位置を出発地として目的地までの最適な案内経路を求める処理が行われる。そして、表示器１０上の道路地図に案内経路を重ねて表示し、ユーザに適切な経路を案内する。このような自動的に最適な案内経路を設定する手法は、ダイクストラ法等の手法が知られている。また、表示器１０およびスピーカ１５の少なくとも一方によって、操作時のガイダンスや動作状態に応じたメッセージの報知を行う。
【００５３】
灰皿３３ａ〜３３ｄは、図２のようにそれぞれ車両１０１の運転席３８ａ，後部右座席３８ｂ，後部左座席３８ｃ，助手席３８ｄの各ドアの内側に設置される。なお、操舵ハンドルが３９として示されている。図３（ａ）に灰皿３３ａの構成を示す。灰皿３３ａには、灰や吸殻が入れられる皿部３３ａ１，開閉検出スイッチ３３ａ２，蓋３３ａ３，アクチュエータ３３ａ４（後述）が含まれ、蓋３３ａ３の開閉状態に対応して変化する開閉検出スイッチ３３ａ２の電圧値が制御回路８へ送られる。他の灰皿３３ｂ〜３３ｄについても同様である。なお、開閉検出スイッチ３３ａ２が本発明の喫煙具操作状態検出手段，開閉検出手段に相当する。
【００５４】
シガーライタ３４は、図２のように車両１０１の運転席３８ａと助手席３８ｄとの間に設置される。また、後部座席の乗員のために、運転席３８ａと助手席３８ｄとの背もたれ部の間（３４ａの位置）に設置してもよい。図３（ｂ）にシガーライタ３４の構成を示す。ライタ部３４１はシガーライタソケット３４２に挿入されており、煙草に火をつける際にシガーライタソケット３４２から抜き出される。このライタ部３４１の挿抜状態に対応して変化する挿抜検出スイッチ３４３の電圧値が制御回路８へ送られる。なお、挿抜検出スイッチ３４３が本発明の喫煙具操作状態検出手段，操作検出手段に相当する。
【００５５】
パワーウインドウセンサ３６ａ〜３６ｄは、それぞれ図２のような運転席３８ａ側の運転席パワーウインドウ３７ａ，後部右座席３８ｂ側の後部右座席パワーウインドウ３７ｂ，後部左座席３８ｃ側の後部左座席パワーウインドウ３７ｃ，助手席３８ｄ側の助手席パワーウインドウ３７ｄの開閉状態を検出するものである。各パワーウインドウの開閉状態に対応して変化する各センサの電圧値が制御回路８へ送られる。なお、パワーウインドウセンサ３６ａ〜３６ｄが本発明の窓状態検出手段に相当する。
【００５６】
カメラ３５は周知の赤外線カメラ（ＩＲ(Infrared)カメラ）を含んで構成される。ＩＲカメラは、多数の赤外線検出素子を二次元平面にマトリックス状に配置して熱画像センサを構成し、車室内の乗員や座席などの物体の温度に応じて放射される赤外線を撮像レンズ（図示せず）で集光して車室内の温度分布を示す熱画像を熱画像センサ上に結像させ、車室内の温度分布を検出する。図２に車両１０１におけるカメラ３５の設置例を示す。カメラ３５は、例えば車室内の乗員を全て撮影可能な車室内の天井中央部（ルームランプの近傍）に設置される。また、車室内のフロントウインドウ中央上部に設置されるルームミラーの近傍３５ａの位置に設置してもよい。なお、カメラ３５が本発明の撮影手段に相当する。
【００５７】
図４のフロー図を用いて、本発明の喫煙警告処理について説明する。なお、本処理はナビプログラム２１ｐに含まれ他の処理とともに繰り返し実行される。まず、灰皿（３３ａ〜３３ｄ）の開閉検出スイッチ（例えば３３ａ２）の状態を検出し、蓋（例えば３３ａ３）が開いたことを検出した場合（Ｓ１：Ｙｅｓ）、時計ＩＣ８９から日時情報を取得し、これを開始時刻として蓋が開いている時間の計測を開始する（Ｓ２）。
【００５８】
この後、蓋が開いている時間の計測中に蓋が閉じられたことを検出した場合（Ｓ３：Ｙｅｓ）、時計ＩＣ８９から日時情報を取得し、これを終了時刻として蓋が開いている時間の計測を終了し、（終了時刻）−（開始時刻）を蓋が開いていた時間とする（Ｓ４）。
【００５９】
次に、蓋が開いていた時間が、例えば６０〜１８０秒のような予め設定された時間の範囲内にあるかを調べる。この範囲内にあれば喫煙のために蓋が開放されて喫煙がなされたと判定できる。つまり、極めて短時間に灰皿の蓋が開閉された場合は喫煙は行われなかったと見なして処理を終了し、他方、極めて長時間灰皿の蓋が開放されていた場合は、蓋が閉め忘れられていて喫煙は行われていないと判断して、この場合も処理を終了する。
【００６０】
そして、蓋が開いていた時間が予め設定された時間の範囲内にある場合（Ｓ５：Ｙｅｓ）、喫煙者を特定する（Ｓ６）。図２のように、灰皿（３３ａ〜３３ｄ）が各座席に独立して設置されている場合は、開閉が検出された灰皿の位置によって喫煙者を特定することができる。開閉検出スイッチ（３３ａ２等）からの出力は、それぞれＣＰＵ８１の異なる入力ポートに接続されているので、灰皿の開閉が検出された入力ポートを判別することで喫煙者を特定することが可能である。
【００６１】
喫煙者を特定したら当該喫煙者の喫煙頻度を演算する（Ｓ７）。この喫煙頻度の演算処理においては、灰皿（３３ａ〜３３ｄ）の蓋（例えば３３ａ３）の開閉１回で１本の煙草が喫煙されたと見なすことが前提とされる。つまり、ステップＳ１がＹｅｓかつステップＳ３がＹｅｓであれば、灰皿の蓋が１回開閉されたことになり、ステップＳ５のＹｅｓの判断を前提として所定のカウンタに喫煙本数として「１」ずつ加算（インクリメント）される。そのカウンタは各灰皿に対応して、例えば図１のメモリ９に領域が確保される。
【００６２】
なお、喫煙本数を例えば所定の計算式でポイント値に置き換えたデータを喫煙頻度の前提としてもよい。そして、喫煙頻度は、代表的には単位時間あるいは単位期間（時間，日，月，年など）あたりの灰皿の開閉回数（喫煙本数相当）として把握することができる。
【００６３】
図５のように、メモリ９には喫煙頻度記憶領域９ａ（カウンタ），設定内容記憶領域９ｂ（後述），およびメッセージ記憶領域９ｃ（後述）が含まれる。また、ＨＤＤ２１のデータベース２１ｄにこれらの領域を含めてもよい。図６に乗員の喫煙頻度の記憶内容の一例を示す。図６の例では、当日の喫煙頻度から順に例えば過去３ヶ月分の日単位の各座席における喫煙頻度（喫煙本数）が記憶されている。例えば、喫煙者が運転席３８ａの乗員の場合、座席位置が運転席の当日（２００５年５月１０日）の喫煙頻度を更新（インクリメント）する。
【００６４】
上記で演算された喫煙頻度が制限数（警告本数）を超えているかどうかを判定する。制限数は操作スイッチ群７，リモコン端末１２，タッチパネル２２やマイク３１からの入力により、喫煙警告の有無，警告を行う座席，１日当たりの喫煙本数や警告内容などを乗員が選択し、設定できるようにしてもよい。設定画面の一例を図７に、設定された内容が記憶される設定内容記憶領域９ｂの一例を図８に示す。設定者が警告対象者と異なる場合、警告対象者の意思で容易に設定が変更できないよう、設定変更時に暗証番号の入力を求めるようにしてもよい。図７では、運転席乗員の喫煙本数が1日当たり１０本を超えた場合に表示器１０の表示により警告を行うよう設定されている。
【００６５】
図４に戻り、喫煙頻度が制限数（警告本数）を超えた場合（Ｓ８：Ｙｅｓ）、所定の警告処置を行う（Ｓ９）。図９に表示器１０に表示される警告メッセージの一例を示す。メッセージとともに、喫煙頻度記憶領域９ａを参照して当該喫煙者の喫煙頻度の履歴を表示してもよい。また、音声合成回路２４に、「ピンポン（効果音）、運転手の喫煙限度を超えました。灰皿をロックします。」というような案内音声データ（テキストデータあるいはデジタル音声データ）を送り、上記案内音声をスピーカ１５から報知してもよい。これらの報知されるメッセージはメモリ９のメッセージ記憶領域９ｃ（図５参照）に記憶されている。
【００６６】
灰皿に例えば周知の電磁ロックのようなアクチュエータ３３ａ４（図３（ａ）参照）を設け、喫煙頻度が制限数（警告本数）を超えた場合に、制御回路８からアクチュエータ３３ａ４に指令を送り灰皿の蓋が開かないようにロック状態とするようにしてもよい。なお、アクチュエータ３３ａ４が本発明の禁止手段に相当する。
【００６７】
一方、図４において、喫煙頻度が制限数（警告本数）を超えない場合（Ｓ８：Ｎｏ）、当日の喫煙頻度を表示する（Ｓ１０）。図１０にその一例を示す。図９のように、当日の喫煙頻度の他に、喫煙限度本数，警告情報を表示してもよい。また、音声合成回路２４およびスピーカ１５から、「ただ今の喫煙本数は９本です。喫煙限度まであと１本です。」というような案内音声を出力してもよい。
【００６８】
図９および図１０の表示例の他に、警告情報として以下のうちに少なくとも一つを用いてもよい。
（１）喫煙の抑制を動機付けるもの
・「既に１０本目です。肺がんになる可能性が高くなります。」
（２）喫煙の抑制や禁煙のためのアドバイス情報
・「現在１０本目です。煙草の本数を減らすには、１時間に１回程度深呼吸をするとよいです。」
・「現在１０本目です。節煙商品には以下のものがあります。禁煙パイプ（○○円），禁煙ガム（△△円）」
【００６９】
次に、図１１のフロー図を用いて、灰皿が車内の各座席に一対一に対応して設けられていない場合の処理を説明する。これは、たとえば運転席と助手席との間においてインストルメントパネルの中央（図２の３４の位置）に灰皿が設けられる場合や、車内左右の後部座席（３８ｂ，３８ｃ）の間において、例えばコンソールボックスの背面（図２の３４ａの位置）に共用の後部座席用灰皿が設けられる場合である。まず、パワーウインドウ（３７ａ〜３７ｄ）の開閉状態を検出する（Ｓ３１）。このとき、時計ＩＣ８９から日時情報を取得し、検出されたパワーウインドウの位置およびその操作（開あるいは閉）に対応付けてＲＡＭ８３に記憶しておく。
【００７０】
次に、図４と同様に、灰皿（３３ａ〜３３ｄ）の蓋（例えば３３ａ３）が開いたことを検出した場合（Ｓ３２：Ｙｅｓ）、蓋が開いている時間の計測を開始する（Ｓ３３）。そして、再びパワーウインドウ（３７ａ〜３７ｄ）の開閉状態を検出し、上記と同様に時計ＩＣ８９から日時情報を取得し、検出されたパワーウインドウの位置およびその操作に対応付けてＲＡＭ８３に記憶する（Ｓ３４）。この後、蓋が開いている時間の計測中に蓋が閉じられたことを検出した場合（Ｓ３５：Ｙｅｓ）、図４と同様に蓋が開いていた時間を演算する（Ｓ３６）。
【００７１】
そして、蓋が開いていた時間が予め設定された時間の範囲内にある場合（Ｓ３７：Ｙｅｓ）、パワーウインドウ（３７ａ〜３７ｄ）の開閉状態を検出し（Ｓ３８）、上記でＲＡＭ８３に記憶された蓋が開く前，蓋が開いている間，および蓋が閉じたとパワーウインドウの開閉状態から、例えば３分以内のような、灰皿の蓋が開閉された前後の所定の時間内にパワーウインドウの開操作が行われた場合（Ｓ３９：Ｙｅｓ）、そのパワーウインドウに対応する席の乗員が喫煙者であると特定（推定）する（Ｓ４０）。
【００７２】
なお、ステップＳ４１〜Ｓ４４の処理は、図４のステップＳ７〜Ｓ１０と同様である。
【００７３】
あるいは、図１２に示すように、車内に設置されたカメラ３５で車内の乗員を撮影することにより、例えば３４あるいは３４ａの位置に設置される共有灰皿の場合の喫煙者を特定することができる。図４と同様に、灰皿（３３ａ〜３３ｄ）の蓋（例えば３３ａ３）が開いたことを検出した場合（Ｓ５１：Ｙｅｓ）、蓋が開いている時間の計測を開始する（Ｓ５２）。この後、蓋が閉じられたことを検出する（Ｓ５４：Ｙｅｓ）まで、カメラ３５で撮影された熱画像データを取得する（Ｓ５３）。この後、蓋が開いている時間の計測中に蓋が閉じられたことを検出した場合（Ｓ５４：Ｙｅｓ）、図４と同様に蓋が開いていた時間を演算する（Ｓ５５）。
【００７４】
そして、蓋が開いていた時間が予め設定された時間の範囲内にある場合（Ｓ５６：Ｙｅｓ）、画像処理部８８においてカメラ３５で撮影された熱画像データで示される車室内の温度分布に基づいて座席ごとに乗員の有無を検出するとともに、喫煙者がいるかどうかを検出する（Ｓ５７）。図１３にカメラ３５の撮影範囲Ｒを示す。また、図１４に熱画像データの一例を示す。例えば、運転席３８ａに運転者が座っている場合には、熱画像データの運転席に相当する領域は人間の体温にほぼ近い比較的大きな温度領域Ｓが存在する。また、その運転者が喫煙している場合には、温度領域Ｓの近傍に煙草の燃焼温度である数百度に相当する比較的小さな温度領域Ｔが存在する。これらの温度領域（Ｓ，Ｔ）を検出することで乗員の有無および喫煙者の有無を検出でき、喫煙者を特定できる（Ｓ５８）。
【００７５】
なお、ステップＳ５９〜Ｓ６２の処理は、図４のステップＳ７〜Ｓ１０と同様である。
【００７６】
いずれにしても、灰皿が各座席に独立して設置されていない場合も、上記の方法で喫煙者を特定することが可能である。以上の説明は、灰皿の開閉動作に基づき喫煙頻度を演算する例であるが、灰皿の代わりにシガーライタの使用動作を電気的に検出して喫煙頻度を求めるようにしてもよい。この場合の処理を、図１５のフロー図を用いて説明する。
【００７７】
シガーライタ３４は、一般的には座席毎に独立して設置されておらず、例えば車両１０１の前席で共用（図２の３４の位置）、さらには後部座席（３８ｂ，３８ｃ）で中央部に共用のもの（図２の３４ａの位置）として設置される。まず、ライタ部３４１がシガーライタソケット３４２から抜かれたことを検出した場合（Ｓ７１：Ｙｅｓ）、時計ＩＣ８９から日時情報を取得し、これを開始時刻としてライタ部３４１が抜かれている時間の計測を開始する（Ｓ７２）。
【００７８】
この後、ライタ部３４１がシガーライタソケット３４２に挿入されたことを検出した場合（Ｓ７３：Ｙｅｓ）、時計ＩＣ８９から日時情報を取得し、これを終了時刻としてライタ部３４１が抜き挿しされた時間の計測を終了し、（終了時刻）−（開始時刻）をライタ部３４１が抜き挿しされた時間とする（Ｓ７４）。
【００７９】
そして、ライタ部３４１が抜き挿しされた時間が例えば１分以内のような所定の範囲内にある場合（Ｓ７５：Ｙｅｓ）、以降は喫煙者の特定の処理に移る。例えば、図１１のステップＳ３１〜Ｓ３９と同様に、パワーウインドウ（３７ａ〜３７ｄ）の開閉状態を検出して（Ｓ７７）、喫煙者を特定（推定）する（Ｓ７８）。あるいは、図１２のステップＳ５１〜Ｓ５７と同様に、ライタ部３４１が抜き挿しされる間にカメラ３５で撮影された熱画像データ像の取り込みを行い、その熱画像の解析（Ｓ７６）により喫煙者を特定する（Ｓ７８）。
【００８０】
なお、図１５において、ステップＳ７６およびＳ７７をＡＮＤ条件として直列に実行し、カメラ３５の熱画像とパワーウインドウ（３７ａ〜３７ｄ）の開閉状態との双方の情報により喫煙者の特定を行うこともできる。
【００８１】
喫煙頻度の演算〜メッセージの報知（ステップＳ７９〜Ｓ８２）は、図４のステップＳ７〜Ｓ１０と同様である。
【００８２】
また、シガーライタ３４を使用不可能とするためのロック用のアクチュエータを設け、警告する本数に達した場合にそれらアクチュエータを駆動して、シガーライタ３４を使用不許可状態として、強制的に喫煙できなくしてもよい。
【００８３】
図３（ｂ）のように、一般に、ライタ部３４１はシガーライタソケット３４２に押し込まれると、ライタ部３４１内部の高抵抗の電熱線に通電が行われて発熱し、その熱により煙草に点火する構成となっている。そこで、シガーライタソケット３４２と電源の間にスイッチ３４４を設け、そのスイッチ３４４を制御回路８で制御する構造とし、喫煙頻度が制限数（警告本数）を超えた場合に、制御回路８でスイッチ３４４をオフ状態として、ライタ部３４１をシガーライタソケット３４２に押し込んでも通電されないようにする。なお、スイッチ３４４が本発明の操作禁止手段に相当する。
【００８４】
また、シガーライタを灰皿（３３ａ〜３３ｄ）のように各座席（３８ａ〜３８ｄ）に対応するドアの内側に設置してもよい。このようにすれば、シガーライタが操作された位置を検出することで喫煙者を特定することが可能となる。
【００８５】
灰皿の蓋の開閉の検出とシガーライタの抜き挿しの検出とをＡＮＤ条件として直列に実行して、喫煙者の特定を行うこともできる。以下、図１６を用いて説明する。まず、ライタ部３４１がシガーライタソケット３４２から抜かれていない状態から抜かれた状態に変化したことを検出した場合（Ｓ９１：Ｙｅｓ）、時計ＩＣ８９から日時情報を取得してライタ部３４１が抜かれた時刻をＲＡＭ８３の所定の領域に記憶する（Ｓ９２）。この後、ライタ部３４１がシガーライタソケット３４２から抜かれた状態から挿入された状態に変化したことを検出した場合（Ｓ９３：Ｙｅｓ）、時計ＩＣ８９から日時情報を取得してライタ部３４１が挿入された時刻をＲＡＭ８３の所定の領域に記憶する（Ｓ９４）。
【００８６】
また、灰皿（３３ａ〜３３ｄ）の蓋（例えば３３ａ３）が閉じた状態から開いた状態に変化したことを検出した場合（Ｓ９５：Ｙｅｓ）、時計ＩＣ８９から日時情報を取得して蓋が開いた時刻をＲＡＭ８３の所定の領域に記憶する（Ｓ９６）。この後、蓋が開いている状態から閉じられた状態に変化したことを検出した場合（Ｓ９７：Ｙｅｓ）、時計ＩＣ８９から日時情報を取得して蓋が閉じた時刻をＲＡＭ８３の所定の領域に記憶する（Ｓ９８）。
【００８７】
次に、上記で取得した時刻を基に、ライタ部３４１の抜き挿しの間の時間、および蓋の開閉の時間を演算する（Ｓ９９）。
【００８８】
そして、ライタ部３４１が抜き挿しされた時間帯と灰皿の蓋が開いていた時間帯が重なっている場合、あるいは例えば２分以内のように所定の範囲内にある場合（Ｓ１００：Ｙｅｓ）に、ライタ部３４１が抜き挿しされた時間が所定の範囲内にある場合（Ｓ１０１：Ｙｅｓ）、かつ、灰皿の蓋が開いていた時間が予め設定された時間の範囲内にある場合（Ｓ１０２：Ｙｅｓ）は、シガーライタの操作および灰皿の操作が一連の喫煙動作に含まれると判断して、喫煙者の特定を行う。喫煙者の特定以降の処理は、例えば、図４のステップＳ６以降と同様である。
【００８９】
また、喫煙警告を表示器１０等で行う他に、警告内容を外部へ送信する構成としてもよい。図１７にその構成例を示す。図１７（ａ）では、車両１０１のナビゲーション装置１００に含まれる携帯電話機１７あるいは通信ユニット２５により、基地局１０２を経由して第三者の携帯電話機１０３に報知する構成を示している。また、図１７（ｂ）では、インターネット等の公衆回線１０４を経由して第三者の携帯電話機１０５，パーソナルコンピュータ１０６，図示しない受信手段および報知手段を含む車両１０７に報知する構成を示している。この場合、図９あるいは図１０の表示例に相当する文字（電子メールを含む）あるいは音声の少なくとも一つによるメッセージが報知される。
【００９０】
例えば、医師から喫煙を制限されている場合、病院に設置されたパーソナルコンピュータ（図１７（ｂ）の１０６等）に喫煙頻度が送信され、担当医師がその内容を確認することで治療の参考とすることができる。
【００９１】
また、表示器１０は車両１０１の速度等を表示するメータパネルに内蔵してもよい。音声合成回路２４の代わりにブザーを用いてもよい。
【００９２】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００９３】
【図１】車載用喫煙警告装置を車載用ナビゲーション装置に適用した場合の構成を示すブロック図。
【図２】灰皿，シガーライタ，カメラ等の取り付け位置の例を示す図。
【図３】灰皿，シガーライタの構成の一例を示す図。
【図４】灰皿を用いた喫煙警告処理について説明するフロー図。
【図５】メモリの記憶内容の一例を示す図。
【図６】喫煙頻度記憶領域の一例を示す図。
【図７】喫煙警告設定画面の一例を示す図。
【図８】設定内容記憶領域の一例を示す図。
【図９】喫煙警告表示画面の一例を示す図。
【図１０】喫煙頻度表示画面の一例を示す図。
【図１１】図４の別の例について説明するフロー図。
【図１２】図４のさらに別の例について説明するフロー図。
【図１３】カメラの撮影範囲の一例を示す図。
【図１４】熱画像データの一例を示す図。
【図１５】シガーライタを用いた喫煙警告処理について説明するフロー図。
【図１６】灰皿およびシガーライタを用いた喫煙警告処理について説明するフロー図。
【図１７】喫煙警告等を外部へ送信する構成の一例を示す図。
【符号の説明】
【００９４】
７    操作スイッチ群（条件設定手段）
８    制御回路（喫煙者特定手段，演算手段，判定手段，開閉カウント手段，操作カウント手段，認証手段）
９    メモリ（条件設定手段）
１０    表示器（報知手段）
１５    スピーカ（報知手段，音声発生装置）
１７    携帯電話機（送信手段）
２２    タッチパネル（条件設定手段）
２４    音声合成回路（報知手段，音声発生装置）
２５    通信ユニット（送信手段）
３１    マイク（条件設定手段）
３３ａ〜３３ｄ  灰皿
３３ａ２  開閉検出スイッチ（喫煙具操作状態検出手段，開閉検出手段）
３３ａ３  蓋
３３ａ４  アクチュエータ（禁止手段）
３４    シガーライタ
３４１  ライタ部
３４２  シガーライタソケット
３４３    挿抜検出スイッチ（喫煙具操作状態検出手段，操作検出手段）
３４４  スイッチ（操作禁止手段）
３５    カメラ（撮影手段）
３６ａ〜３６ｄ  パワーウインドウセンサ（窓状態検出手段）
１００    車載用ナビゲーション装置
１０１    車両
【図１】
2007276672.tif 000003
【図２】
2007276672.tif 000004
【図３】
2007276672.tif 000005
【図４】
2007276672.tif 000006
【図５】
2007276672.tif 000007
【図６】
2007276672.tif 000008
【図７】
2007276672.tif 000009
【図８】
2007276672.tif 000010
【図９】
2007276672.tif 000011
【図１０】
2007276672.tif 000012
【図１１】
2007276672.tif 000013
【図１２】
2007276672.tif 000014
【図１３】
2007276672.tif 000015
【図１４】
2007276672.tif 000016
【図１５】
2007276672.tif 000017
【図１６】
2007276672.tif 000018
【図１７】
2007276672.tif 000019